(57)【要約】【課題】包装飯塊の包装を簡単に解く。【解決する手段】包装シート１の外フィルム２には、幅方向の中央部にて長手方向に沿って分離可能部２１が設けられ、内フィルム３は２枚の矩形のフィルム片３１、３１ａの側縁の内、内側の側縁どうしを外フィルム２の分離可能部２１上に重ねて形成されている。外フィルム２と内フィルム３の外周部は、少なくとも内フィルム３のフィルム片３１、３１ａの重なり部３２を除いて軽く接合されている。内フィルム３上にそのフィルム片３１、３１ａの重なり部３２と直交して飯塊６が載り、該飯塊６の周面に包装シート１を巻き付けて巻付け端を止着手段７にて止着している。【選択図】　図１
2004026270.tif 000002
【特許請求の範囲】
【請求項１】
外フィルム（２）と内フィルム（３）との間にシート状食品（４）を挟んでいる包装シート（１）によって横長の飯塊（６）を巻いて包装した包装飯塊に於いて、
外フィルム（２）には、巻き幅方向の中央部にて巻き付け方向の全長に亘って細帯状テープ（２１ａ）を接合し包装飯塊を一周して該細帯状テープ（２１ａ）を引き上げて外フィルム（２）を引き裂く分離可能部（２１）が設けられ、内フィルム（３）は２枚の矩形状フィルム片（３１）（３１ａ）の内側の側縁どうしを重ねて形成され、内フィルム（１３）の長手方向の外側縁には、飯塊（６）の端面に被さる端面被せ部（３０）（３０）が突出しており、外フィルム（２）と内フィルム（３）の外周部は、少なくとも内フィルム（３）のフィルム片（３１）（３１ａ）の重なり部（３２）を除いて接合されており、内フィルム（３）上にそのフィルム片（３１）（３１ａ）の重なり部（３２）と直交して飯塊（６）が載り、該飯塊（６）の周面に包装シート（１）を巻き付けて巻付け端を止着手段（７）にて止着している包装飯塊。
【請求項２】
外フィルム（２）と内フィルム（３）との間にシート状食品（４）を挟んでいる包装シート（１）によって横長の飯塊（６）を巻いて包装した包装飯塊に於いて、
外フィルム（２）は、巻き付け方向に裂け易い方向性フィルムであって、巻き付け終端縁の幅方向の中央部に、手指で摘めるフィルム幅を存して２つの切込み（２１ｂ）（２１ｂ）を施し切込み間のフィルムを、包装飯塊を一周して引き上げて外フィルムを引き裂く分離可能部（２１）が形成され、内フィルム（３）は２枚の矩形状フィルム片（３１）（３１ａ）の内側の側縁どうしを重ねて形成され、内フィルム（１３）の側縁には、飯塊（６）の端面に被さる端面被せ部（３０）（３０）が突出しており、外フィルム（２）と内フィルム（３）の外周部は、少なくとも内フィルム（３）のフィルム片（３１）（３１ａ）の重なり部（３２）を除いて接合されており、内フィルム（３）上にそのフィルム片（３１）（３１ａ）の重なり部（３２）と直交して飯塊（６）が載り、該飯塊（６）の周面に包装シート（１）を巻き付けて巻付け端を止着手段（７）にて止着している包装飯塊。
【請求項３】
外フィルム（２）と内フィルム（３）との間にシート状食品（４）を挟んでいる包装シートに於いて、
外フィルム（２）には、巻き幅方向の中央部にて巻き付け方向の全長に亘って細帯状テープ（２１ａ）を接合し包装飯塊を一周して該細帯状テープ（２１ａ）を引き上げて外フィルム（２）を引き裂く分離可能部（２１）が設けられ、内フィルム（３）は２枚の矩形状フィルム片（３１）（３１ａ）の内側の側縁どうしを重ねて形成され、内フィルム（１３）の外側縁には、飯塊（６）の端面に被さる端面被せ部（３０）（３０）が突出しており、外フィルム（２）と内フィルム（３）の外周部は、少なくとも内フィルム（３）のフィルム片（３１）（３１ａ）の重なり部（３２）を除いて接合されている包装シート。
【請求項４】
外フィルム（２）と内フィルム（３）との間にシート状食品（４）を挟んでいる包装シート（１）に於いて、
外フィルム（２）は、巻き付け方向に裂け易い方向性フィルムであって、巻き付け終端縁の幅方向の中央部に、手指で摘めるフィルム幅を存して２つの切込み（２１ｂ）（２１ｂ）を施し切込み間のフィルムを、包装飯塊を一周して引き上げて外フィルムを引き裂く分離可能部（２１）が形成され、内フィルム（３）は２枚の矩形状フィルム片（３１）（３１ａ）の内側の側縁どうしを重ねて形成され、内フィルム（１３）の側縁には、飯塊（６）の端面に被さる端面被せ部（３０）（３０）が突出しており、外フィルム（２）と内フィルム（３）の外周部は、少なくとも内フィルム（３）のフィルム片（３１）（３１ａ）の重なり部（３２）を除いて接合されている包装シート。
【発明の詳細な説明】
【０００１】
【産業上の利用分野】
本発明は、外フィルムと内フィルムとの間にシート状食品を挟んだ包装シートにて横長の飯塊を包んだ包装飯塊に関するものである。
【０００２】
【従来の技術及び発明が解決しようとする課題】
出願人は以前に、図８、図９に示す包装シート（１）にて棒状の飯塊（６）を包んだ包装飯塊（５）を提案している（特許公開２００１−１１２４２３号公報参照）。包装シート（１）は、２枚の矩形フィルム片（３１）（３１ａ）の一側縁を重ねて構成される内フィルム（３）に、内フィルム（３）と略同じ大きさの外フィルム（２）を重ね合わせ、互いの周縁部を熱溶着して形成される。内フィルム（３）と外フィルム（２）との間には、シート状海苔等の長方形のシート状食品（４）を挟み、一方のフィルム片（３１ａ）の上に横長の飯塊（６）を載せる。飯塊（６）の長手方向と、フィルム片（３１）（３１ａ）の長手方向は略平行であり、飯塊（６）を載せるフィルム片（３１ａ）からは、端面被せ部（３０）（３０）が突出している。
端面被せ部（３０）を上向きに折って、飯塊（６）の端面を包み、飯塊（６）を包装シート（１）で巻き、該包装シート（１）の巻付け外端を粘着シール片等の止着手段（７）で止めて、棒状の包装飯塊（５）を作る。
【０００３】
包装飯塊（５）を食するには、止着手段（７）を外して包装シート（１）を展開し、図１０に示すように、飯塊（６）が載置されていない方のフィルム片（３１）をめくって、外フィルム（２）から剥がす。シート状食品（４）の一部が露出し、該露出したシート状食品（４）に向けて飯塊（６）を転がす。飯塊（６）の粘着力により、飯塊（６）とシート状食品（４）が軽くくっつく。
次に、図１１に示すように、飯塊（６）が載置されていたフィルム片（３１ａ）をめくって、外フィルム（２）から剥がす。シート状食品（４）の全面が露出する。シート状食品（４）で飯塊（６）を手巻きして、寿司を作り、外フィルム（２）から外して食する。
【０００４】
しかし、従来の包装飯塊（５）には、以下の問題がある。
従来の棒状の包装飯塊（５）を食する際には、一方のフィルム片（３１）を剥がす工程と、飯塊（６）を露出したシート状食品（４）に向けて転がす工程と、他方のフィルム片（３１ａ）を剥がす工程の３つの手順が必要であり面倒であった。また、露出したシート状食品（４）に向けて飯塊（６）を転がす際に、誤って飯塊（６）をシート状食品（４）から落としてしまう虞れがあった。
本発明は上記問題を解決できる包装飯塊及びその包装シートを明らかにするものである。
【０００５】
【課題を解決する手段】
本発明は、外フィルム（２）と内フィルム（３）との間にシート状食品（４）を挟んでいる包装シートに於いて、外フィルム（２）には、巻き幅方向の中央部にて巻き付け方向の全長に亘って細帯状テープ（２１ａ）を接合し包装飯塊を一周して該細帯状テープ（２１ａ）を引き上げて外フィルム（２）を引き裂く分離可能部（２１）が設けられ、内フィルム（３）は２枚の矩形状フィルム片（３１）（３１ａ）の内側の側縁どうしを重ねて形成され、内フィルム（１３）の外側縁には、飯塊（６）の端面に被さる端面被せ部（３０）（３０）が突出しており、外フィルム（２）と内フィルム（３）の外周部は、少なくとも内フィルム（３）のフィルム片（３１）（３１ａ）の重なり部（３２）を除いて接合されている。
【０００６】
本発明の包装飯塊は、上記包装シート（１）の内フィルム（３）上に、そのフィルム片（３１）（３１ａ）の重なり部（３２）と直交して飯塊（６）が載り、該飯塊（６）の周面に包装シート（１）を巻き付けて、巻付け端を止着手段（７）にて止着している。
【０００７】
外フィルム（２）への細帯状テープ（２１ａ）の接合に代えて、外フィルム（２）は飯塊（６）に対する巻き付け方向に裂け易い方向性フィルムとし、外フィルム（２）の巻付け終端縁の幅方向の中央部に、手指で摘めるフィルム幅を存して２つの切込み（２１ｂ）（２１ｂ）を施して分離可能部（２１）を形成しても可い。
【０００８】
【作用及び効果】
シート状食品（４）は、包装飯塊（５）の状態で、外フィルム（２）と内フィルム（３）に挟まれており、外気や飯塊（６）からの湿気から遮断されている。故に、内外フィルム（２）（３）を外し、飯塊を直接にシート状食品（４）によって包んだとき、シート状食品（４）の歯ごたえのよい食感を失わない。飯塊（６）は、周面に内フィルム（３）が被さり、端面に端面被せ部（３０）（３０）が被さっているため、異物の侵入を防ぐことができ、衛生的である。又、飯塊（６）の乾燥を防止して風味を損なわない。
【０００９】
包装飯塊（５）を食するには、止着手段（７）を外し、図４に示す如く、包装シート（１）の先端部を展開する。包装シート（１）の他端部は、包装飯塊と一緒に把持し、細帯状テープ（２１ａ）の端部を摘んで、或いは外フィルム（２）に施された切込み（２１ｂ）（２１ｂ）間を掴んで、外フィルム（２）の反対側端部に向けて引っ張って分離可能部（２１）から外フィルム（２）を２分する。
次に、図５に示す如く、２分されている外フィルム（２）の半分と該半分に溶着された内フィルムのフィルム片（３１ａ）を一緒に引っ張って取り除く。すると、図６に示す如く、シート状食品（４）の半分が露出する。
フィルム片（３１）の引き出と同時に該フィルム片（３１ａ）と一体の端面被せ部（３０）も引き出され、飯塊（６）の一方の端面も露出する。
次に、一部展開され露出したシート状食品（４）の上から飯塊（６）を片手で把持しながら、飯塊（６）に被さった残りの包装シート（１）の端部を、もう一方の手で側方に引っ張る。飯塊（６）がシート状食品（４）に一部包まれた状態で、飯塊（６）及びシート状食品（４）が全て露出する。露出したシート状食品（４）を飯塊（６）に巻き付けて、巻き海苔飯を作り、これを食する。
【００１０】
上記の如く、本発明の包装飯塊（５）を食するときは、包装シート（１）を半分に分離し、片方づつ側方へ引っ張り出すため、包装シート（１）との引張り摩擦が一度に飯塊（６）に加わらず、飯塊（６）の形が崩れる虞れがない。また、従来の包装飯塊（５）に比して、シート状食品（４）の露出側へ飯塊（６）を移動させる必要がないので、包装飯塊（５）を食する際には手順が１つ減り、手間が省ける。
又、従来の様にシート状食品（４）の露出側へ飯塊（６）を移動させる必要がないので、飯塊（６）を滑り落とさない。
【００１１】
【実施の形態】
（包装シートの構成）
図１に示す如く、横長の飯塊（６）を包む包装シート（１）は、外フィルム（２）と内フィルム（３）との間に長方形のシート状海苔等のシート状食品（４）を挟んでいる。内フィルム（３）には、飯塊（６）の端面に被さる端面被せ部（３０）（３０）が突出している。両フィルム（２）（３）は透明で、シート状食品（４）が外側から確認できる。
飯塊（６）は、かやくご飯の塊或いは白米の塊であり、内部に具が挿入されてもよい。飯塊（６）は長さ約１００ｍｍで、断面が略円形又は略四角形である。
シート状食品（４）は、長さ約１９０ｍｍ、幅約１００ｍｍであり、幅は飯塊（６）の長さに略等しく、長さは飯塊（６）を約１．２〜１．５周する長さである。
【００１２】
外フィルム（２）は、シート状食品（４）よりも稍大きな長方形であり、幅方向の中央部で長さ方向に分離可能部（２１）を有している。分離可能部（２１）は、所謂カットテープであって、細帯状テープ（２１ａ）を外フィルム（２）の外面の全長に亘って強力に接合して形成される。
細帯状テープ（２１ａ）の外フィルム（２）への接合方法は、該テープ自体に接着剤を施す、熱溶着する、高周波接合する等、外フィルム（２）から細帯状テープ（２１ａ）が剥がれなければ手段は問わない。
外フィルム（２）の巻付け終端縁に、細帯状テープ（２１ａ）の両側へ、手指で摘めるフィルム幅を存して２つの切込み（２１ｂ）（２１ｂ）が施される。
【００１３】
内フィルム（３）は、略同形状の長方形のフィルム片（３１）（３１ａ）を互いの長手方向に沿う内側縁を５〜１０ｍｍの重なり幅で重ねて形成される。実施例ではフィルム片（３１）（３１ａ）の重なり部（３２）は単にフィルム片の端縁が重なっているだけであるが、後記の如く、重なっている端縁を簡単に剥離可能な程度に弱くスポット的に熱溶着してもよい。
両フィルム片（３１）（３１ａ）の長手方向に沿う外側の側縁の略中央部から、四角形の端面被せ部（３０）（３０）が突出している。端面被せ部（３０）は飯塊（６）の端面よりも少し大きい。
外フィルム（２）と内フィルム（３）の外周部は、少なくとも内フィルム（３）のフィルム片（３１）（３１ａ）の重なり部（３２）を除いて線状に熱溶着（１１）を施して接合されている（図２参照）。
【００１４】
（飯塊の包装）
上記包装シート（１）によって飯塊（６）を包装するには、図２に示す如く、内フィルム（３）上にフィルム片（３１）（３１ａ）の重なり部（３２）に直交して飯塊（６）を載せる。次に、端面被せ部（３０）（３０）を飯塊（６）の端面に被さる様に内側へ折り返す。
次に図３に示す如く、包装シート（１）を飯塊（６）の周面に巻き付ける。巻付け外端を粘着シール片、又は剥離可能な弱い熱溶着等の止着手段（７）（７）で止め、棒状の包装飯塊（５）が完成する。外フィルム（２）は後記の如く、分離可能部（２１）にて２分割されるから、止着手段（７）は、分離可能部（２１）上から外れているのが望ましい。
【００１５】
シート状食品（４）は、外フィルム（２）と内フィルム（３）に挟まれて両フィルム（２）（３）に収納されており、外気や棒状飯（６）からの湿気から遮断されている。従って、シート状食品（４）の歯ごたえのある食感を失わない。
外フィルム（２）の分離可能部（２１）は、塞ぎフィルム（２３）で塞がれているため、該分離可能部（２１）からの外気の侵入も防止できる。
飯塊（６）は、周面には内フィルム（３）が、端面には端面被せ部（３０）（３０）が夫々被さっているため、異物の侵入を防ぐことができ、衛生的である。又、飯塊（６）の乾燥を防止して風味を損なわない。
【００１６】
（飯塊を食するとき）
包装飯塊（５）を食するには、止着手段（７）を外し、図４に示す如く、包装シート（１）の一部を展開する。分離可能部（２１）を挟んで包装シート（１）の一方を片手で押さえて、もう一方の手で細帯状テープ（２１ａ）の先端を摘み、外フィルム（２）の反対側に引っ張る。外フィルム（２）には、細帯状テープ（２１ａ）の先端両側位置に切込み（２１ｂ）（２１ｂ）が施されているから、外フィルム（２）は、細帯状テープ（２１ａ）に沿って簡単に裂ける。
外フィルム（２）は分離可能部（２１）で裂けて２分する。図５に示す如く、半分の外フィルム（２）と該フィルムに熱溶着された内フィルム（３）の一方のフィルム片（３１）を一緒に引っ張り出す。
このとき、フィルム片（３１）と一体の端面被せ部（３０）も引き出され、図６に示す如く、飯塊（６）の一方の端面及びシート状食品（４）の一部が露出する。
【００１７】
次に、露出した飯塊（６）をシート状食品（４）の上から片手で把持しながら、もう一方の手で飯塊（６）に被さった残り半分の包装シート（１）の端部を外側に引っ張る。飯塊（６）がシート状食品（４）に一部包まれた状態で、飯塊（６）及びシート状食品（４）が全て露出する。
飯塊（６）を展開したシート状食品（４）で巻き、巻き飯塊を作り、これを食する。
【００１８】
上記の如く、本発明の包装飯塊は、包装シート（１）を長手方向に沿って半分に分離し、片方づつ引っ張り出すことが出来るため、包装シート（１）との引張り摩擦が一度には飯塊（６）に加わらず、飯塊（６）の形が崩れる虞れが殆どない。また、従来の包装飯塊（５）に比して、シート状食品（４）の露出側へ飯塊（６）を移動させる必要がないので、包装飯塊（５）を食する際には手順が１つ減り、手間が省ける。
又、従来の様にシート状食品（４）の露出側へ飯塊（６）を移動させる必要がないので、飯塊（６）を滑り落とさない。これにより、飯塊（６）が落ちてゴミ等がつかないから衛生的であり、飯塊（６）の形も壊れない。
【００１９】
本発明の実施に際し、外フィルム（２）を飯塊に対する巻き方向に裂け易い方向性フィルムとすれば、図１に示す如く、外フィルムの巻付け終端縁に、手指で摘める間隔を存して２つの切込み（２１ｂ）（２１ｂ）を施しておくだけで、細帯状テープ（２１ａ）を省略しても、外フィルム（２）に、該フィルムを幅方向の中央から２分できる分離可能部（２１）を形成することができる。
切込み（２１ｂ）（２１ｂ）間を摘んで、外フィルム（２）の反対の端部側に向けて引っ張ると、外フィルム（２）を幅方向の中央で２分できるから、前記同様の作用効果を有する包装飯塊を形成することができる。
【００２０】
又、図７に示す如く、飯塊（６）の長さが大きい場合、包装シート（１）は、巻き付け方向の長さＬ１よりも、巻き幅Ｌ２の方を長くすれば可い。
【００２１】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【図１】包装シートの分解斜面図である。
【図２】包装シートの斜視図である。
【図３】包装飯塊の斜視図である。
【図４】外フィルムを２分する手順を示す斜視図である。
【図５】包装シートを解く手順を示す斜視図である。
【図６】包装シートを半分解いた状態の斜視図である。
【図７】他の実施例の包装シートの斜面図である。
【図８】従来の包装シートの分解斜面図である。
【図９】従来の包装飯塊の斜視図である。
【図１０】従来の包装を解く手順を示す斜視図である。
【図１１】包装を解く手順を示す斜視図である。
【符号の説明】
（１）　　包装シート
（２）　　外フィルム
（２１）　分離可能部
（２１ａ）　　細帯状テープ
（２１ｂ）　　切込み
（３）　　内フィルム
（３１）　フィルム片
（３０）　　端面被せ部
（４）　　シート状食品
（６）　　飯塊
【図１】
2004026270.tif 000003
【図２】
2004026270.tif 000004
【図３】
2004026270.tif 000005
【図４】
2004026270.tif 000006
【図５】
2004026270.tif 000007
【図６】
2004026270.tif 000008
【図７】
2004026270.tif 000009
【図８】
2004026270.tif 000010
【図９】
2004026270.tif 000011
【図１０】
2004026270.tif 000012
【図１１】
2004026270.tif 000013